(57)【要約】【課題】乳幼児、身障者、高齢者への給食作業を楽にし、また幼児、身障者、高齢者が自ら使用する際も容易に飲食動作を行なうことができる乳児用・介護用スプーンを提供する。【解決手段】一端に掬い部１ａを、他端に把手部３を取り付けた柄部５としての第１アーム１及び第２アーム２と、これら第１アーム１の一端及び第２アーム２の両端と把手部３の一端に略球状のピボットピン１ｂ、２ａ、２ｂ及び３ａを形成する。このピボットピン１ｂ、２ａ、２ｂ及び３ａを連結部材であるスリーブ４の両端側から圧入することで、各アーム１、２を支軸として連結箇所が上下左右に旋回可能な関節を少なくとも二箇所設ける。【選択図】  図１
0003156223.tif 000002
【実用新案登録請求の範囲】
【請求項１】
一端に掬い部又は突刺し部を、他端に把手部を取り付けた柄部とからなり、前記柄部の少なくとも２箇所に屈曲且つ回動自在な関節部を設けたことを特徴とする乳幼児用・介護用スプーン。
【請求項２】
関節部がピボット機構であることを特徴とする請求項１記載の乳幼児用・介護用スプーン。
【請求項３】
把手部にクリップを設けたことを特徴とする請求項１又は請求項２記載の乳幼児用・介護用スプーン。
【請求項４】
掬い部又は突刺し部と柄部とを着脱可能としたことを特徴とする請求項１乃至請求項３のいずれかに記載の乳幼児用・介護用スプーン。
【考案の詳細な説明】
【技術分野】
【０００１】
本考案は、乳幼児や被介護者への給食作業が容易になり、また幼児、身障者、高齢者が自ら使用する際も使い勝手の良好なスプーンに関するものである。
【背景技術】
【０００２】
従来のスプーンは掬い部と柄が直線形状であるので、例えば、乳幼児に離乳食を与えたり、被介護者に食事を与える際には使い勝手が悪い。つまり、スプーンを口の正面側あるいは斜め方向から運ばなければならず、掬い部と口の角度が上手く合致しないからである。また、幼児、身障者、高齢者が自ら使用する際も、箸を持つようにして把手部を支え持って手首をやや回す動作を必要とし、更にそれを口元まで持ってくる際には、掬い部の先端が口元まで向かう動作を必要とするからである。そこで、身障者や高齢者用の施設においてよく使用されているスプーンとして、掬い部が握り部に対し直角に曲がったもの、また、掬い部と握り部の境界部分が水平方向に回動自在に調整が可能なものなどがある。
【０００３】
例えば、飲食物を掬うための頭部と、握り部と、頭部と握り部を連結する柄部からなり、この柄部が所定の角度に折り曲げられ、握り部は２つの空孔とこれら２つの空孔を分ける支持部材とからなり、使用者がこの２つの空孔に指を入れて、支持部材を握ることにより、スプーンの姿勢を保ち、幼児等でも滑り落とすことなく飲食動作を行なえるようにしたスプーン（特許文献１参照）。平面視したときに把手部と匙部とが略Ｌ字状に屈曲され、スプーンが上手く扱えない老人や幼児でも食べ易い食事用スプーン（特許文献２参照）。食品を入れる皿状凹部の長手方向の平面の中心線が、手で握るための柄の部分の長手方向の平面の中心線に対して、約６０〜１５０度の角度だけユーザーの口元に近づく方向に傾斜され、医療施設、介護施設又は家庭内で、病人・障害者・幼児又は高年者であっても容易に食事することができるスプーン（特許文献３参照）。ハンドル握り部の一端部に握り部側回転軸が設けられ、握り部側回転軸他端側に略Ｌ字状に屈曲した支軸を設け、前記支軸の一端側に保持具側回転軸が設けられ、保持軸の他端部にスプーン又はフォークを取り付けた食事用スプーン（特許文献４参照）等が提案されている。
【先行技術文献】
【特許文献】
【０００４】
【特許文献１】実用新案登録第３０３５１４９号公報
【特許文献２】特開平９−２６６８４３号公報
【特許文献３】特開２００１−２８６５１６号公報
【特許文献４】特開２００２−９５５７１号公報
【考案の概要】
【考案が解決しようとする課題】
【０００５】
本考案もまた従来技術の上記問題点に鑑み創案されたもので、その課題とするところは、乳幼児、身障者、高齢者への給食作業を楽にし、また幼児、身障者、高齢者が自ら使用する際も容易に飲食動作を行なうことができる乳幼児用・介護用スプーンを提供することを目的とする。
【課題を解決するための手段】
【０００６】
このため本考案の乳幼児用・介護用スプーンは、一端に掬い部又は突刺し部を、他端に把手部を取り付けた柄部とからなり、前記柄部の少なくとも２箇所に屈曲且つ回動自在な関節部を設けたことを第１の特徴とし、この関節がピボット機構であることを第２の特徴とし、さらに、把手部にクリップを設けたことを第３の特徴とし、掬い部又は突刺し部と柄部とを着脱可能としたことを第４の特徴とする。
【考案の効果】
【０００７】
本考案によれば、下記の優れた効果がある。
（１）乳幼児に離乳食を与える際や被介護者に食事を与える際の使い勝手が良い。
（２）従来の直線状スプーンが上手く扱えない高齢者や身障者でも容易に使うことができる。
（３）柄部の少なくとも２箇所に屈曲且つ回動自在な関節部を設けたので、握り角度や手首の角度及び方向が制約されることがなく、使用者の左右利き手の違いによる不便さも解消できる。
（４）把手部にクリップを設けたので、把手が不能な者でも使用できる。
（５）柄部に少なくとも二箇所の関節部を設けたことにより、枝部の角度と方向、掬い部と柄部の角度と方向が各々自在に設定でき、全体の保持形状として極めて高い自由度が得られる。
【図面の簡単な説明】
【０００８】
【図１】本考案に係る乳幼児用・介護用スプーンの一実施例を示す斜視図である。
【図２】本考案の使用状態を示す斜視図である。
【図３】本考案の使用状態を示す斜視図である。
【図４】本考案の使用状態を示す斜視図である。
【考案を実施するための形態】
【０００９】
以下、本考案の実施の形態を図面に示す実施例に基づいて説明する。
図１は本考案に係る乳幼児用・介護用スプーンの一実施例を示す斜視図、図２乃至図４は本考案の使用状態を示す斜視図である。
【実施例】
【００１０】
例えば、図１に示ように、本考案に係る乳幼児用・介護用スプーンは、一端に掬い部１ａを、他端に把手部３を取り付けた柄部５としての第１アーム１及び第２アーム２とを有し、これら第１アーム１の一端及び第２アーム２の両端に略球状のピボットピン１ｂ、２ａ及び２ｂを形成し、把手部３の一端にもピボットピン３ａを形成する。そして、これらのピボットピン１ｂ、２ａ、２ｂ及び３ａを連結部材であるスリーブ４の両端側から圧入することで、各アーム１、２を支軸として連結箇所が上下左右に旋回可能になり所望の角度に折曲した状態で保持することができる。尚、掬い部１ａはフォーク様の突き刺し部としても良く、その部分が任意に交換できるようにカートリッジ式に着脱可能にする。
【００１１】
すなわち、掬い部１ａと把手部３との間の柄部５の少なくとも２箇所にいわゆる関節機能を設けたものであり、この関節として働く屈曲且つ回動自在部４としてピボット機構を採用した。
【００１２】
前記ピボット機構を具体的に説明すると、前記凸球面部１ｂ、２ａ及び２ｂを円筒状スリーブ４の両端に形成された嵌合凹所（凹球面部）４ａに接着することなく圧入して構成される。また、把手部３にはバネ式のヒンジ３ｂを介してクリップ板３ｃが設けられている。
【００１３】
そして、本考案のスプーンの使用に際しては、通常は、図２及び図３に示すように把手部３を握り、掬い部１ａと把手部３と柄部５とが所望する角度及び方向になるように動かして固定保持して使用する。また、図３に示すように、把手が不能な者においては、把手部３のクリップ板３ｃで指を挟んで固定することができる。
【符号の説明】
【００１４】
１    第１アーム
１ａ  掬い部又は突刺し部
１ｂ  ピボット（凸球面部）
２    第２アーム
２ａ  ピボットピン（凸球面部）
２ｂ  ピボットピン（凸球面部）
３    把手部
３ａ  ピボットピン（凸球面部）
３ｂ  ヒンジ
３ｃ  クリップ板
４    スリーブ
４ａ  嵌合凹所（凹球面部）
５    柄部
【図１】
0003156223.tif 000003
【図２】
0003156223.tif 000004
【図３】
0003156223.tif 000005
【図４】
0003156223.tif 000006